(57)【要約】雑音耐性のない装置１１０を雑音源から分離するための装置１００は、デジタルバス１０４、１０５を含んでいる。プロセッサ１０１は、クロック信号及び第一のデータ信号を出力し、デジタルバス１０４，１０５を通して第二のデータ信号を受ける。双方向性バッファ１０９は、デジタルバス１０４，１０５と、チューナモジュールに配置される雑音耐性のない装置１１０との間に接続される。装置１００は、制御信号に依存して以下のように動作する。双方向性バッファ１０９は、デジタルバス１０４，１０５からのクロック信号及び第一のデータ信号を雑音耐性のない装置１１０に選択的に通過させ、該雑音耐性のない装置１１０からの第二のデータ信号をデジタルバスに選択的に通過させる。
2005502280.tif 000002
【特許請求の範囲】
【請求項１】
デジタルバス（１０４，１０５）と
プロセッサ（１０１）を含み、該デジタルバスに接続され、クロック信号及び第一のデータ信号を出力し、該デジタルバスを通して第二のデータ信号を受けるための制御装置と、
ダウンコンバータに接続される雑音耐性のない装置とデータ記憶装置（１２２）とを有するチューナモジュールを含むフロントエンド装置と、
該デジタルバス（１０４，１０５）と該チューナモジュールとの間に接続される双方向性バッファ（１０９）とを備え、
該双方向性バッファは、第一の動作モードで、該チューナモジュールを該プロセッサから分離し、第二の動作モードで、該プロセッサからの該クロック信号及び該第一のデータ信号を該チューナモジュールに通過させ、該チューナモジュールからの該第二のデータ信号を該プロセッサに通過させる、
テレビ信号処理装置。
【請求項２】
該双方向性バッファ（１０９）は、
該デジタルバスからの該クロック信号を該チューナモジュールに選択的に通過させる第一のトランジスタ（Ｑ１）と、
該デジタルバスからの該第一のデータ信号を該雑音耐性のない装置（１１０）に選択的に通過させ、該チューナモジュールからの該第二のデータ信号を該デジタルバスに通過させる第二のトランジスタ（Ｑ３）と、
を備える請求項１記載のテレビ信号処理装置。
【請求項３】
該第一のトランジスタ（Ｑ１）と該第二のトランジスタ（Ｑ３）は、バイポーラ型接合トランジスタである、
請求項２記載のテレビ信号処理装置。
【請求項４】
該デジタルバス（１０４，１０５）は、アイ・スクウェア・シーバスである、
請求項１記載のテレビ信号処理装置。
【請求項５】
該チューナモジュール（１１０）は、可変周波数のトーンを発生する位相ロックループ（１２１）を備える、
請求項１記載のテレビ信号処理装置。
【請求項６】
該周波数ダウンコンバータ（１２３）は、複数のテレビ信号（１２０）のうちの１つを該可変周波数のトーンのうちの１つと混合して、中間周波テレビ信号を発生するために該位相ロックループ（１２１）に接続される、
請求項５記載のテレビ信号処理装置。
【請求項７】
該双方向性バッファは、選局イベントを生じさせるチャネル変更命令に応答して、該第二の動作モードで動作する、
請求項６記載のテレビ信号処理装置。
【請求項８】
該双方向性バッファは、該第二の動作モードで、該チャネル変更命令の受信に応じて所定の時間動作し、その後、該第一の動作に自動的に戻る、
請求項７記載のテレビ信号処理装置。
【請求項９】
テレビ信号受信機における雑音源からチューナモジュール（１１０）を分離する方法であって、
プロセッサ（１０１）からのクロック信号及び第一のデータ信号をデジタルバス（１０４，１０５）に送出するステップと、
該デジタルバスを介して、該クロック信号及び該第一のデータ信号を該チューナモジュールで受けるステップと、
該チューナモジュールからの第二のデータ信号を、該チューナモジュールを該デジタルバスに選択的に接続する双方向性のバッファに送出するステップと、
該デジタルバス及び該双方向性バッファ（１０９）を介して、該第二のデータ信号を該プロセッサ（１０１）で受けるステップとを備え、
該双方向性バッファは、第一の動作モードで、該チューナモジュールを該プロセッサから分離し、第二の動作モードで、該デジタルバスからの該クロック信号及び該第一のデータ信号を雑音耐性のない装置に通過させ、該チューナモジュールからの該第二のデータ信号を該デジタルバスに通過させる、
方法。
【請求項１０】
該クロック信号を受ける前記ステップは、第一のトランジスタ（Ｑ１）を介して、該デジタルバスからの該クロック信号を該チューナモジュールに選択的に通過させるステップを備え、
該第二のデータ信号を受ける前記ステップは、第二のトランジスタ（Ｑ３）を介して、該デジタルバスからの該第一のデータ信号を該チューナモジュールに選択的に通過させ、該チューナモジュールからの該第二のデータ信号を該デジタルバスに通過させるステップを備える、
請求項９記載の方法。
【請求項１１】
該第一のトランジスタ（Ｑ１）及び該第二のジストランタ（Ｑ３）は、バイポーラ型接合トランジスタである、
請求項１０記載の方法。
【請求項１２】
該チューナモジュールは、可変周波数のトーンを発生する位相ロックループ（１２１）を備える、
請求項９記載の方法。
【請求項１３】
該チューナモジュールは、該位相ロックループ（１２１）に接続され、複数のテレビ信号（１２０）のうちの１つを該可変周波数のトーンのうちの１つと混合して、中間周波のテレビ信号を発生するための周波数ダウンコンバータをさらに備える、
請求項１２記載の方法。
【請求項１４】
選局イベントを始動するチャネル変更命令を受信するステップをさらに備え、
該双方向性バッファは、該第二の動作モードで、該プロセッサが該選局イベントに応答して該チューナモジュールに選局命令を送出することを可能にするために動作する、
請求項１３記載の方法。
【請求項１５】
該チャネル変更命令を受信する前記ステップは、
該双方向性バッファが、該選局イベントが始動された後であって所定の時間が経過した後に該第一の動作モードに戻り、該チューナモジュールを該プロセッサから分離するステップを備える、
請求項１４記載の方法。
【請求項１６】
該クロック信号、該第一のデータ信号及び該第二のデータ信号は、アイ・スクウェア・シーバスを介して転送される、
請求項９記載の方法。
【発明の詳細な説明】
【技術分野】
【０００１】
本発明は、テレビ信号の受信機に関し、より詳細には、チューナモジュールと制御装置との間の双方向通信を可能にしつつ、テレビ信号受信機のチューナモジュールにおける位相ロックループ（ＰＬＬ）回路での雑音の干渉を低減することができる方法に関する。
【背景技術】
【０００２】
高精細テレビ（ＨＤＴＶ）システムのようなテレビジョンシステムは、チューナ、デジタル中間周波（ＩＦ）回路、及びデジタル復調集積回路（ＩＣ）を備えているフロントエンドを一般に採用している。このシステムは、一般に、アイ・スクウェア・シー（Ｉ−ｓｑｕａｒｅｄ  Ｃ）と呼ばれるＩＩＣ（Ｉｎｔｅｒ−Ｉｎｔｅｇｒａｔｅｄ  Ｃｉｒｃｕｉｔ）バスを使用して、マイクロプロセッサから制御される場合がある。
【０００３】
ＩＩＣバスは、２つのラインであり、２つのＩＣがバス経路で同時に通信することを可能にする双方向性のデジタルバスである。「マスター」モードの動作で役割を果たすＩＣは、該バス上でのデータ転送処理を始動し、データ転送を可能にするクロック信号を発生する。「スレーブ」モードの動作で役割を果たすＩＣは、マスターＩＣにより処理を行うＩＣ、又はマスターＩＣにより通信されるＩＣであり、スレーブＩＣは、データを送出するように命令されるか、或いはデータを受けるように命令される。それぞれのＩＣは、その固有なアドレスを有しており、マスターＩＣは、通信を開始及び終了する。
【０００４】
シリアルクロックライン（ＳＣＬ）は、マスターＩＣからスレーブＩＣへ、ＩＩＣバスにクロック信号を転送する。それぞれのマスターＩＣは、一般に、該バス上にデータを転送したとき、それ自身のクロック信号を発生する。ＩＩＣバスの第二の双方向性のラインは、一般に、シリアルデジタルトランザクションを利用してデータを転送するシリアルデータライン（ＳＤＡ）である。一般に、応答確認ビットとして１以上のビット数が使用される。典型的な設計によれば、ＳＣＬ及びＳＤＡの両者が論理ハイ（ｈｉｇｈ）状態に保持されるとき、２つのＩＣの間にはＩＩＣバスに転送されるデータはない。ＳＤＡでの論理ハイ状態から論理ロウ（ｌｏｗ）状態への遷移は、ＳＣＬが論理ハイ状態にある間、ＩＩＣバスを通してデジタルデータをやり取りするための開始状態を示す。逆に、ＳＤＡでの論理ロウの状態から論理ハイ状態への遷移は、ＳＣＬが論理ハイ状態にある間、停止状態を示す。マスターＩＣは、一般に、ＳＤＡで転送されるデジタルデータのそれぞれのビットについて１つのクロックパルスを発生し、ＳＤＡでの論理状態は、ＳＣＬ上のクロック信号が論理ロウ状態にあるときにのみ、変化することができる。
【０００５】
複数のＩＣは、一般に、ＩＩＣバスを共有する。たとえば、テレビ信号受信機のコントローラにおけるマイクロプロセッサは、ＩＩＣバスを使用して受信機内の様々なＩＣと通信する。しかし、この通信は、テレビ受信内部で動作上の問題を生じる可能性がある。特に、マスターＩＣとして機能するマイクロプロセッサにより同時発生するバストラヒックにより、テレビ受信機のチューナにおける位相雑音の干渉を生じることがわかっている。より詳細には、位相雑音の干渉は、ＩＩＣバスにシリアル接続されるチューナのＰＬＬに導入される場合がある。ＰＬＬは、可変周波数のトーン発生器として動作し、マイクロプロセッサは、ＩＩＣバスを介してＰＬＬの発振周波数を制御する。特定の所望の周波数でロックされたトーンを発生する代わりに、所望のトーン周波数付近の他の周波数レンジが生成されるように、ＰＬＬは、マイクロプロセッサがバス上の他のＩＣに命令を送出したときに、バスに関するトラヒックを受けやすい。
【０００６】
たとえば、４ＭＨｚ発振器を有するＰＬＬでは、マイクロプロセッサにより発生された任意の偶発的な雑音信号は、ＩＩＣバスに接続されたＰＬＬ  ＩＣの他のピンで受けられる場合がある。この雑音は、結果として得られる周波数に付加される。したがって、ユーザが７０１ＭＨｚでのチャネルを選択し、テレビジョンシステムが４４ＭＨｚでのダウンコンバートされたＩＦ信号を要求する場合には、ＰＬＬは、７４５ＭＨｚの周波数でロックされたトーンを発生する必要がある。通常、７０１ＭＨｚのテレビ信号及び７４５ＭＨｚのトーン信号は混合され、４４ＭＨｚでロックされたＩＦ信号を生成する。しかし、付加的な雑音は、トーン周波数付近で他の高調波周波数を発生することがあり、これにより、代わりにＩＦ信号は４４ＭＨｚ付近のレンジにおいて変動する。
【０００７】
結果として、到来するデジタル映像信号及び／又は音声信号にバスの雑音が付加され、テレビ受信機のビット誤り率（ＢＥＲ）性能における品質低下が生じる。最終的に、ビット誤りは、音声出力における「クリック及びポップ」を生じるのと同様に、ユーザが視聴している映像における輝度及び色度の画素成分の増加又は減少としてそれ自身はっきりしてしまう可能性がある。同様に、アナログテレビ信号を処理するとき、ＩＩＣバスの雑音は、歪んだ画像及び／又は望まない音の歪、及び／又は音声出力における乱れを生じる可能性がある。
【０００８】
ＩＩＣバスのトラヒックにより生じる位相雑音の干渉は、復調ＩＣのキャリアトラッキングループの帯域幅を広くし、該復調ＩＣが腐敗したデータをトラッキングから外すことを可能にすることで、幾分補償される場合がある。しかし、かかる方法により、付加的な低周波の雑音が映像信号及び／又は音声信号と結合される場合があり、テレビ受信機のＢＥＲを低下する場合がある。
【０００９】
ＩＩＣバスのトラヒックにより生じる雑音を分離する装置及び方法は、出願番号ＰＣＴ／ＵＳ９９／３０７７５号による、１９９９年１２月２２日に提出された“Ｍｅｔｈｏｄ  ａｎｄ  Ａｐｐａｒａｔｕｓ  ｆｏｒ  Ｉｓｏｌａｔｉｎｇ  ＩＩＣ  Ｂｕｓ  Ｎｏｉｓｅ  ｆｒｏｍ  ａ  Ｔｕｎｅｒ  ｉｎ  ａ  Ｔｅｌｅｖｉｓｉｏｎ  Ｒｅｃｅｉｖｅｒ”と題された国際特許出願に記載されている。この出願に記載されている装置は、分離用バッファを提供しており、この分離用バッファにより、マイクロプロセッサにより選局命令が発生されたときに、受信機は、チューナの位相ロックループＩＣにデータを単に通過させることができる。この出願に係る実施の形態では、この分離用バッファは、マイクロプロセッサに接続されるそれぞれの入力と、チューナモジュールに接続されるそれぞれの出力を有するＯＲゲートの対を備えている。かかる装置は、マイクロプロセッサがチューナモジュールに命令を送出しているときに好適である。しかし、チューナモジュールからマイクロプロセッサにデータを転送することが望まれる状況がある。たとえば、チューナモジュールは、選局イベントの間にマイクロプロセッサにより供給される情報を含んでいるＥＥＰＲＯＭを含む回路ボードの一部である場合がある。
【発明の開示】
【発明が解決しようとする課題】
【００１０】
したがって、ＩＩＣバスの雑音をチューナのＰＬＬ回路に悪影響を及ぼすことから防止するための改善された方法について必要性が存在する。しかし、この必要性を実現することにおいて、マイクロプロセッサがチューナ及び該チューナに接続された構成要素に信号を送出し、かつチューナ及び該チューナに接続された構成要素からの信号を受けることができることが望まれる。かかる双方向性の通信能力により、たとえば、マイクロプロセッサは、より効率的な方式でテレビ受信機の動作を制御することができ、また、かかる双方向通信の能力により、より効率的な構成要素の配置が可能となる。これは、雑音の分離を必要とする構成要素は、メインの処理装置との双方向通信の能力を必要とする構成要素と同じ回路ボード上に配置される場合があるためである。本発明は、これらの問題及び他の問題に焦点を当てるものである。
【課題を解決するための手段】
【００１１】
本発明によれば、雑音耐性のない装置を有するチューナモジュールを雑音源から分離する装置が提供される。本装置は、デジタルバスを備える。プロセッサは、クロック信号及び第一のデータ信号を出力し、該デジタルバスを通して第二のデータ信号を受ける。双方向性のバッファは、該デジタルバスと該モジュールの間に接続される。このモジュールは、該雑音耐性のない装置、及び該プロセッサに転送されるべきデータを含む装置を含んでいる。本装置の動作は、制御信号に依存して次のように実行される。該双方向性バッファは、第一の動作モードで、該デジタルバス上の他の構成要素から該モジュールを分離し、第二の動作モードで、該デジタルバスからの該クロック信号及びデータ信号を該モジュールに通過させ、該モジュールからのデータ信号を該デジタルバスに通過させる。
【００１２】
添付図面と共に本発明の実施の形態に関する以下の記載を参照することで、本発明の上述した機能及び他の機能並びに効果がより明らかになり、本発明が良好に理解されるであろう。
【００１３】
本明細書で示される例は、本発明の好適な実施の形態を例示するものであり、かかる例は、任意のやり方で本発明の範囲を限定して解釈するものではない。
【発明を実施するための最良の形態】
【００１４】
図面を参照して、特に図１では、本発明を実現するために好適なテレビ信号受信機１００の関連した部分が示されている。図１では、テレビ信号受信機１００の例示される部分は、マイクロプロセッサ１０１、入力／出力（Ｉ／Ｏ）ポート１０２、入力装置１０３、シリアルクロックライン（ＳＣＬ）１０４、シリアルデータライン（ＳＤＡ）１０５、複数の集積回路（ＩＣ）１０６〜１０８、双方向性バッファ１０９及びチューナモジュール１１０を備えている。
【００１５】
マイクロプロセッサ１０１は、Ｉ／Ｏポート１０２に電気的に接続され、該Ｉ／Ｏポート１０２と信号のやり取りを行う。Ｉ／Ｏポート１０２は、入力装置１０３からの入力を受信し、この入力装置１０３は、たとえば、ハンドヘルド・リモートコントロール装置として実施される場合がある。また、マイクロプロセッサ１０１は、アイ・スクウェア・シー（ＩＩＣ：  Ｉｎｔｅｒ−Ｉｎｔｅｇｒａｔｅｄ  ｃｉｒｃｕｉｔ）バスに電気的に接続されており、このＩＩＣは、ＳＣＬ１０４及びＳＤＡ１０５を備えている。マイクロプロセッサ１０１は、ＳＣＬ１０４及びＳＤＡ１０５を介してＩＣ１０６〜１０８と通信する。この通信の間、マイクロプロセッサ１０１は、マスターＩＣとして動作し、ＩＣ１０６〜１０８は、本明細書で先に説明したように、スレーブＩＣとして動作する。図１では示されていないが、マイクロプロセッサ１０１の付近のＳＣＬ１０４及びＳＤＡ１０５の両者には、５ボルト電源に接続されるプルアップレジスタが含まれていることが好ましい。好適な実施の形態によれば、両方のレジスタの抵抗値は２．２キロオームである。用語「マイクロプロセッサ」及び「プロセッサ」は、本実施の形態では、交換可能であるものと考慮することができる。
【００１６】
図１に示されるように、ＳＣＬ１０４は、マイクロプロセッサ１０１により発生されたクロック信号を伝えるラインである。反対に、ＳＤＡ１０５は、双方向性のラインであり、マイクロプロセッサ１０１と、ＩＣ１０６〜１０８及びチューナモジュール１１０のような他の構成要素との間でデータ信号のやり取りを行う。例示及び説明のために、図１では、３つのＩＣ、すなわちＩＣ１０６〜１０８のみが示されている。しかし、実際には、より多くのかかるＩＣ、又はより少ないかかるＩＣがＩＩＣバスに接続される場合がある。
【００１７】
双方向性バッファ１０９は、ＩＩＣバス、すなわちＳＣＬ１０４及びＳＤＡ１０５を介して、マイクロプロセッサ１０１及びＩＣ１０６〜１０８に電気的に接続される。双方向性バッファ１０９は、トランジスタＱ１〜Ｑ４、及び抵抗Ｒ１〜Ｒ６を備えている。トランジスタＱ１〜Ｑ４は、ＳＴ  Ｍｉｃｒｏｅｌｅｃｔｒｏｎｉｃｓ社製のＢＣ８４７Ｂモデルのトランジスタのような、ＮＰＮ型のバイポーラ型接合トランジスタ（ＢＪＴ）としてそれぞれ実施されることが好ましい。双方向性バッファ１０９を実現するためにＢＪＴを利用することは、特に有効である。これは、ＢＪＴは、双方向通信の機能を可能にしつつ、電界効果トランジスタ（ＦＥＴ）又はＩＣスイッチに対して大幅な費用削減をもたらすためである。ＦＥＴは、良好な立ち上り時間及び立ち下り時間の観点で利点を提供する場合がある。しかし、良好な立ち上がり時間及び立ち下がり時間が必ずしも必要とされない用途では、ＢＪＴを利用することで、有意な費用の低減を図りつつ、要求される双方向機能を提供することができる。
【００１８】
抵抗Ｒ１〜Ｒ６は、図１に示される好適なインピーダンス値を示す。すなわち、抵抗Ｒ１及びＲ４は、それぞれ５１キロオームであり、抵抗Ｒ２，Ｒ３，Ｒ５及びＲ６は、それぞれ１０キロオームである。勿論、他のインピーダンス値を使用することもできる。しかし、ＩＩＣバスの動作が悪影響を受けないように、抵抗Ｒ１，Ｒ２，Ｒ４及びＲ５の抵抗値は、慎重に選択される必要がある。本実施の形態では、Ｒ１及びＲ４の値は、マイクロプロセッサ１０１がモジュール１１０及び他のＩＣ１０６〜１０８と通信するときに、所望の電圧を維持するように選択される。このケースでは、要求される立ち上がり時間及び立ち下がり時間を維持している間に、他のＩＣ１０６〜１０８が確認応答を提供することができるレベルにある電圧を維持することが必要である。
【００１９】
遮断制御信号は、モジュール１１０を分離するためのものであって、マイクロプロセッサ１０１から供給されることが好ましいが、必要に応じて別のソースから供給される場合もある。遮断制御信号は、遮断制御端子に印加され、この端子は、トランジスタＱ２及びＱ４のベース接合に作用的に接続される。双方向性バッファ１０９は、遮断制御端子に印加される制御信号に依存して、たとえば、マイクロプロセッサ１０１とチューナモジュール１１０の間で信号を選択的に通過させる。すなわち、双方向性バッファ１０９は、スイッチとして機能し、このスイッチは、マイクロプロセッサ１０１とチューナモジュール１１０の間の通信を可能にし、また、マイクロプロセッサ１０１がＩＣ１０６〜１０８と通信するときには、チューナモジュール１１０をＩＩＣバス（すなわち、ＳＣＬ１０４及びＳＤＡ１０５）のトラヒック雑音から分離する。
【００２０】
動作において、双方向性バッファ１０９のトランジスタＱ１及びＱ３は、（１）ＩＩＣバスとチューナモジュール１１０の間の信号の通過を可能にする飽和モード、及び（２）信号の通過を禁止し、チューナモジュール１１０をＩＩＣバスの任意のトラヒック雑音から分離する遮断モード、において動作するように適合されている。ＩＩＣバスとチューナモジュール１１０の間の信号の通過は、トランジスタＱ１及びＱ３のベース接合に、飽和モードに入るために十分な電流を供給することで可能になる。トランジスタＱ１及びＱ３の両者について、エミッタ接合とコレクタ接合は、論理ハイ状態に引き上げられ、いずれか一方の接合で論理ロウ信号があれば、他方の接合での論理ロウ信号を生じる。共通のエミッタ飽和スイッチは、トランジスタＱ２及び抵抗Ｒ２、並びにトランジスタＱ４及び抵抗Ｒ５により形成される。抵抗Ｒ２及びＲ５のインピーダンス値は、飽和モードに入ったこと、チューナモジュール１１０で良好な信号遷移が測定されたこと、双方向性バッファ１０９が信号の通過を可能にしたとき、を保証するに十分なだけ低く設定される。しかし、抵抗Ｒ２及びＲ５のインピーダンス値を余りに低く設定することは、ＩＩＣバスに接続されている装置（たとえば、ＩＣ１０６〜１０８）により降下される場合がある過度の量の電流を生じる可能性がある。好適な実施の形態によれば、双方向性バッファ１０９の遮断制御端子に印加される制御信号は、６００ミリボルト以下の論理ロウ状態を表し、１．５ボルトを超える論理ハイ状態を表す任意のデジタル信号である場合がある。
【００２１】
チューナモジュール１１０は、チューナ１１１、電気的に消去可能なプログラマブル・リードオンリメモリ（ＥＥＰＲＯＭ）１１２、及び中間周波（ＩＦ）ダウンコンバータ１１３を備えている。好適な実施の形態によれば、チューナモジュール１１０は、テレビ信号受信機のメインボードに接続されるスタンドアロン型のモジュールとして実施される。勿論、チューナモジュール１１９の構成要素は、個別の構成要素として実施される場合もある。チューナ１１１は、デジタルフォーマット及び／又はアナログフォーマットの映像信号及び／又は音声信号を受信し、この映像信号及び／音声信号に応じて動作して、ＩＦ信号を発生する。チューナ１１１に関する更なる詳細は、図２を参照して後に本実施の形態で提供される。本実施の形態におけるチューナモジュール１１０は、チューナ１１１、ＥＥＰＲＯＭ１１２及びＩＦモジュール１１３を含んでいるが、雑音の分離を必要とする他の装置、すなわち双方向通信を必要とする他の装置をモジュール１１０に組み込むことができ、該他の装置は、特定の回路ボードに配置される複数の構成要素を備えている場合がある。
【００２２】
ＥＥＰＲＯＭ１１２は、電子的なアライメントデータ及び／又は他のデータのようなデータを記録する。該データは、たとえばトラッキングフィルタを設定し、ＡＧＣポイントを設定する等のために、特に、選局イベントの間にテレビ信号受信機の動作を制御するためにマイクロプロセッサ１０１により使用される場合がある。本発明によれば、マイクロプロセッサ１０１は、ＳＤＡ１０５及び双方向性バッファ１０９を介して、ＥＥＰＲＯＭ１１２から記憶されているデータを選択的に読み出す場合がある。この読み出されたデータに基づいて、マイクロプロセッサ１０１は、テレビ信号受信機１００の様々な動作を制御する。
【００２３】
ＩＦダウンコンバータ１１３は、チューナ１１１から供給されるＩＦ信号に応じて、周波数のダウンコンバージョン処理を実行する。好適な実施の形態によれば、ＩＦダウンコンバータ１１３は、デジタルフォーマット及び／又はアナログフォーマットの映像信号及び／又は音声信号をダウンコンバートする。ＩＦダウンコンバータ１１３からの周波数ダウンコンバートされた出力は、図１に示されるように、復調回路、及び／又は付加的な音声及び／又は映像処理回路（図示せず）に供給される。好適な実施の形態によれば、テレビ信号受信機１００は、デジタルフォーマット及び／又はアナログフォーマットの映像及び／又は音声信号を復調して処理するための回路を含んでいる。
【００２４】
図２を参照して、図１のチューナ１１１の更なる詳細を説明する図が示されている。図２に示されるように、チューナ１１１は、発振器１２２（たとえば、電圧制御発振器）を有する位相ロックループ（ＰＬＬ）１２１、及び信号線１２４を介してＰＬＬ１２１に接続される周波数ダウンコンバータ１２３を備えている。クロック信号及びデータ信号が双方向性バッファ１０９によりＰＬＬ１２１に選択的に通過されたときに、ＰＬＬ１２１は、ＳＣＬ１０４及びＳＤＡ１０５を介して該クロック信号及びデータ信号をそれぞれ受ける。特に、これら受けた信号は、発振器１２２により発生されたトーンの周波数を制御する場合がある。ＰＬＬ１２１は、ＩＩＣバスにわたるトラヒックの雑音に敏感であるので、チューナ１１１及び／又はＰＬＬ１２１等は、本実施の形態において「雑音耐性のない装置」と呼ばれる。
【００２５】
チューナ１１１の周波数ダウンコーバータ１２３は、デジタルフォーマット及び／又はアナログフォーマットの映像信号及び／又は音声信号のような信号１２０を受ける。これら受けた信号は、たとえば、衛星、ケーブル、地上波、無線、光ファイバ及び／又は他の手段を介して提供される場合がある。周波数ダウンコンバータ１２３は、ＰＬＬ１２１の発振器１２２により発生されたトーン周波数に従って、受信された信号をＩＦ信号に変換し、ＩＦ信号をＩＦダウンコンバータ１１３に供給する。
【００２６】
図３を参照して、本発明を実施するために好適な処理を説明するフローチャートが示されている。例示及び説明のために、図３の処理は、図１及び図２のテレビ信号受信機１００に関して記載される。
【００２７】
ステップ３０１で、ユーザは、入力装置１０３を介して入力を提供して、特定の信号１２０を選択する。ステップ３０２で、ユーザ入力に応答して、マイクロプロセッサ１０１は、双方向性バッファ１０９を制御して、信号の通過を可能にし、チューナ１１１との通信を可能にする。信号の通過が一旦可能となると、マイクロプロセッサ１０１は、ＩＩＣバス及び双方向性バッファ１０９を介して、チューナ１１１に信号を送出し、これにより、ステップ３０３で、選択された信号１２０は、更なる処理のためにチューナ１１１の周波数ダウンコンバータ１２３に結合される。本実施の形態で先に説明されたように、選択された信号１２０は、デジタルフォーマット及び／又はアナログフォーマットの映像信号及び／又は音声信号（たとえば、テレビ信号）である場合がある。さらに、選択された信号１２０は、たとえば、衛星、ケーブル、地上波、無線、光ファイバ及び／又は当業者にとって公知の他の手段を介して、チューナ１１１に提供される場合がある。
【００２８】
次に、ステップ３０４で、マイクロプロセッサ１０１は、ＩＩＣバス及び双方向性バッファ１０９を介して、チューナ１１１のＰＬＬ１２１に信号を送出し、これにより、ＰＬＬ１２１は、特定の周波数のトーンを発生する。つぎに、ステップ３０５で、マイクロプロセッサ１０１は、ＩＩＣバス及び双方向性バッファ１０９の双方向通信機能を利用して、チューナモジュール１１０のＥＥＰＲＯＭ１１２からデータを読み出す。好適な実施の形態によれば、マイクロプロセッサ１０１は、チューナ１１１のフィルタに関連する制御データをＥＥＰＲＯＭ１１２から読み出す。ここで、マイクロプロセッサ１０１は、ＩＩＣバス及び双方向性バッファ１０９を介して、適切な制御信号をチューナ１１１に送出することにより、チューナ１１１のフィルタ設定を制御する。しかし、他のタイプのデータをマイクロプロセッサ１０１により読み出して、テレビ信号受信機１００を制御するために使用する場合も考慮することができる。
【００２９】
ステップ３０６で、マイクロプロセッサ１０１は、ＥＥＰＲＯＭ１１２から読み出されたデータに基づいてテレビ信号受信機１００を制御する。ステップ３０５及びステップ３０６は、チューナ１１１がマイクロプロセッサ１０１によりアクセスされるときに、ＥＥＰＲＯＭからデータを読み出す必要があるか否かに依存して、ステップ３０３及びステップ３０４に関して個別に実行される場合があり、又は該ステップ３０３及びステップ３０４と共に実行される場合がある。本実施の形態では、ＥＥＰＲＯＭ１１２は、選局イベントの間にテレビジョンにより使用されるデータ等を含んでいる。このデータは、選局命令がチューナ１１１に送出されたとき、ＥＥＰＲＯＭ１１２から読み出される。ステップ３０７で、マイクロプロセッサ１０１は、双方向性バッファ１０９を制御して、信号の通過を禁止し、これにより、該ＩＩＣバスから、及び任意の雑音からチューナモジュール１１０を分離する。
【００３０】
ステップ３０８で、チューナ１１１の周波数ダウンコンバータ１２３は、選択された信号１２０をＰＬＬ１２１により発生された周波数のトーンと結合して、ＩＦ信号を発生する。次いで、ステップ３０９で、発生されたＩＦ信号は、ＩＦダウンコンバータ１１３及び他の回路（図示せず）により更に処理され、映像出力及び／又は音声出力のような出力を生成する。本実施の形態では、選局イベントの間にマイクロプロセッサ１０１とチューニングモジュール１１９の間の通信を可能にすることが望まれ、所定の要求される時間の間でのみ通信を可能にすることが好ましい。たとえば、チャネル変更イベントの後、プロセッサとチューニングモジュールの間の通信を可能にすることが望まれるが、選局イベントが完了された後、又は選局イベントの開始後の所定の時間の後で、双方向性バッファをプロセッサとチューニングモジュールを分離する動作モードにすることが望まれる。
【００３１】
本実施の形態で記載されたように、本発明は、マイクロプロセッサ１０１とチューナモジュール１１０との間の双方向通信を効率的に可能とし、マイクロプロセッサ１０１がＩＩＣバス上のＩＣ１０６〜１０８と通信するときには、ＩＩＣバスのトラヒック雑音からチューナモジュール１１０を分離する。チューナモジュール１１０をＩＩＣバスに起因するトラヒック雑音から分離することにより、チューナモジュール１１０のＰＬＬ１２１から十分に雑音が低減され、これにより、ＰＬＬ１２１は、特定の所望の周波数でロックすることが可能となる。したがって、ＰＬＬ１２１は、信号を混合するための澄んだトーンを発生し、実質的に雑音のないＩＦ信号が生成される。
【００３２】
本発明は、テレビ信号受信機に関して説明してきたが、本発明は、表示装置を含む場合、含まない場合を問わず、様々なシステムに応用することができる。本実施の形態で使用された用語「テレビ（テレビジョン）信号受信機」、「テレビ（テレビジョン）受信機」又は「テレビ（テレビジョン）システム」は、限定するものではないが、表示装置を含んだテレビジョンセット又はモニタ、セットトップボックス、ビデオテープレコーダ（ＶＴＲ）、デジタル多用途ディスク（ＤＶＤ）プレーヤ、ビデオゲームボックス、パーソナルビデオレコーダ（ＰＶＲ）又は表示装置を含まない他の装置のようなシステム又は装置、を含む各種タイプの装置及びシステムを包含することが意図される。さらに、本発明は、デジタル信号がＩＩＣバスで転送される任意のシステムにおいて実施される場合があることは、当業者であれば理解されるであろう。他の信号及びシステムは、限定するものではないが、テレビ受信機に送出される等時性の情報、又は、たとえば、ケーブルモデム又は他の手段を介して、コンピュータ間で送出されるデジタル化されたデータを例示的に含む場合がある。
【００３３】
本発明は、好適な設計を有するとして記載されてきたが、本発明は、この開示の範囲及び精神の範囲内で更に変更することができる。したがって、この出願は、本発明の一般概念を使用して任意に変更すること、使用すること、又は適合することをカバーすることが意図される。さらに、この出願は、本発明が属する技術分野、及び添付された特許請求の範囲の制限ない収容される技術分野で公知となるもの又は一般に実施されるものとして、この開示から逸脱することをカバーすることが意図されている。
【図面の簡単な説明】
【００３４】
【図１】本発明を実現するために好適なテレビ信号受信機の関連する部分を例示する回路図である。
【図２】図１のチューナの更なる詳細を例示するブロック図である。
【図３】本発明を実施するための例示的な処理を説明するフローチャートである。
【図１】
2005502280.tif 000003
【図２】
2005502280.tif 000004
【図３】
2005502280.tif 000005
【国際公開パンフレット】
2005502280.tif 000006
2005502280.tif 000007
2005502280.tif 000008
2005502280.tif 000009
2005502280.tif 000010
2005502280.tif 000011
2005502280.tif 000012
2005502280.tif 000013
2005502280.tif 000014
2005502280.tif 000015
2005502280.tif 000016
2005502280.tif 000017
2005502280.tif 000018
2005502280.tif 000019
2005502280.tif 000020
2005502280.tif 000021
2005502280.tif 000022
【国際調査報告】
2005502280.tif 000023
2005502280.tif 000024
2005502280.tif 000025